(57)【要約】【課題】不審者侵入の警報が生じた場合に、管理センタ側でこの警報が正しいのか誤っているのか確認することが可能な住宅監視システムを提供する。【解決手段】センサ制御部１０３は、在／不在スイッチ１０２の設定が「在」の場合には、移動体センサ１０１の検出結果に基づいて住人の安否を判定し、この判定結果を主制御装置２００に通知する。また、在／不在スイッチ１０２が「不在」に設定される場合に、移動体センサ１０１が動きを検出すると、この旨を主制御装置２００に通知する。これに対して主制御装置２００は、不審者侵入の可能性を管理人に報知し、音声信号を送出してインターホン１０４を通じて住宅内にいる者に暗証コードの入力を要求するアナウンスを行い、正当な暗証コードが入力されないと不審者が侵入したものとみなして、これを警報部２０２などを制御して管理人に報知するようにしたものである。【選択図】    図１
2005012676.tif 000002
【特許請求の範囲】
【請求項１】
住宅内に設置され、外部と音声通信する第１の通話手段と、
住人の在宅／不在宅を設定する在宅設定手段と、
前記住宅内で動きのあるものを検出する検出手段と、
前記在宅設定手段で在宅の設定がなされ、かつ前記検出手段が所定時間内に動きを検出しない場合に、住人の異常を報知する住人異常報知手段と、
前記住宅外に設置され、前記在宅設定手段で不在宅の設定がなされ、かつ前記検出手段が動きを検出した場合に、前記第１の通話手段と音声通信する第２の通話手段とを具備することを特徴とする住宅監視システム。
【請求項２】
住人の在宅／不在宅を設定する在宅設定手段と、
前記住宅内で動きのあるものを検出する検出手段と、
前記在宅設定手段で在宅の設定がなされ、かつ前記検出手段が所定時間内に動きを検出しない場合に、住人の異常を報知する住人異常報知手段と、
前記住宅内に設置され、情報の入力を受け付ける入力手段と、
前記在宅設定手段で不在宅の設定がなされ、かつ前記検出手段が動きを検出した場合に、前記住宅内に音声メッセージを再生する再生手段と、
前記在宅設定手段で不在宅の設定がなされ、かつ前記検出手段が動きを検出した場合に、前記入力手段が受け付けた情報に応じて、不審者の侵入を報知する不審者侵入報知手段とを具備することを特徴とする住宅監視システム。
【請求項３】
さらに、住宅内に設置され、外部と音声通信する第１の通話手段と、
前記住宅外に設置され、前記在宅設定手段で不在宅の設定がなされ、かつ前記検出手段が動きを検出した場合に、前記第１の通話手段と音声通信する第２の通話手段とを備えることを特徴とする請求項２に記載の住宅監視システム。
【請求項４】
前記在宅設定手段は、住宅の解錠／施錠と連動し、解錠時には在宅の設定を行い、一方、施錠時には不在宅の設定を行うことを特徴とする請求項１乃至請求項３のいずれかに記載の住宅監視システム。
【発明の詳細な説明】
【０００１】
【発明の属する技術分野】
この発明は、例えば集合住宅等に設置され、高齢者等の住人に生じうる異常を検出する住宅監視システムに関する。
【０００２】
【従来の技術】
周知のように、従来の住宅監視システムは、高齢者が居住する集合住宅に移動体センサを設置しておき、住人の動きが所定時間以上検出できない場合に、住人に異常が生じた可能性があるものとして検出し、管理センタに常駐する管理者が対応するようになっていた。また住人は外出する際には、在／不在スイッチを「不在」に設定し、これにより管理センタに誤警報が生じないようにしていた（例えば、特許文献１参照）。
【０００３】
しかしながら、上記構成による従来の住宅監視システムでは、移動体センサの取り付け位置が悪かったり、在／不在スイッチを「不在」に設定した後に、外出の準備に手間取って時間を要してしまうと、管理センタに誤警報が生じてしまうという問題があった。このように、「不在」にもかかわらず、移動体センサが動きを検出した場合、それが不審者の侵入なのか誤警報なのか管理センタは把握することができないという問題があった。
【０００４】
【特許文献１】
特開平５−２５０５７６公報（第２−３頁、図１）。
【０００５】
【発明が解決しようとする課題】
従来の住宅監視システムでは、住人の不在時に不審者侵入の警報が生じても、管理センタ側ではこの警報が正しいのか誤っているのか確認することができないという問題があった。
この発明は上記の問題を解決すべくなされたもので、不審者侵入の警報が生じた場合に、管理センタ側でこの警報が正しいのか誤っているのか確認することが可能な住宅監視システムを提供することを目的とする。
【０００６】
【課題を解決するための手段】
上記の目的を達成するために、請求項１に係わる本発明は、住宅内に設置され、外部と音声通信する第１の通話手段と、住人の在宅／不在宅を設定する在宅設定手段と、住宅内で動きのあるものを検出する検出手段と、在宅設定手段で在宅の設定がなされ、かつ検出手段が所定時間内に動きを検出しない場合に、住人の異常を報知する住人異常報知手段と、住宅外に設置され、在宅設定手段で不在宅の設定がなされ、かつ検出手段が動きを検出した場合に、第１の通話手段と音声通信する第２の通話手段とを具備して構成するようにした。
【０００７】
上記構成の住宅監視システムでは、在宅の設定がなされ、かつ所定時間内に住宅内で何らの動きを検出しない場合に、住人の異常が発生したものとして報知を行い、また不在宅の設定がなされ、かつ住宅内で何らかの動きを検出した場合に、住宅内に設けた第１の通話手段と住宅外に設けた第２の通話手段とで音声通信を開始するようにしている。
【０００８】
したがって、上記構成の住宅監視システムによれば、不在宅の設定がなされ、かつ住宅内で何らかの動きを検出したような不審者が侵入の可能性がある場合に、住宅外で住宅内の音声を聞くことができるので、不審者の侵入の真否を確認することができる。
【０００９】
また上記の目的を達成するために、請求項２に係わる本発明は、住人の在宅／不在宅を設定する在宅設定手段と、住宅内で動きのあるものを検出する検出手段と、在宅設定手段で在宅の設定がなされ、かつ検出手段が所定時間内に動きを検出しない場合に、住人の異常を報知する住人異常報知手段と、住宅内に設置され、情報の入力を受け付ける入力手段と、在宅設定手段で不在宅の設定がなされ、かつ検出手段が動きを検出した場合に、音声メッセージを再生する再生手段と、在宅設定手段で不在宅の設定がなされ、かつ検出手段が動きを検出した場合に、入力手段が受け付けた情報に応じて、不審者の侵入を報知する不審者侵入報知手段とを具備して構成するようにした。
【００１０】
上記構成の住宅監視システムでは、在宅の設定がなされ、かつ所定時間内に住宅内で何らの動きを検出しない場合に、住人の異常が発生したものとして報知を行い、また不在宅の設定がなされ、かつ住宅内で何らかの動きを検出した場合に、住宅内に音声メッセージを再生するとともに、入力手段を通じて入力される情報に基づいて、不審者の侵入を確認するようにしている。
【００１１】
したがって、上記構成の住宅監視システムによれば、不在宅の設定がなされ、かつ住宅内で何らかの動きを検出したような不審者が侵入の可能性がある場合に、入力手段を通じた情報入力で、不審者の侵入の真否を確認することができる。
【００１２】
【発明の実施の形態】
以下、図面を参照して、この発明の一実施形態について説明する。
図１は、この発明の一実施形態に係わる住宅監視システムの構成を示すものである。ここでは、集合住宅ＡＭに適用した場合を例に挙げて説明するが、複数の戸建て住宅に適用することも可能である。
【００１３】
この住宅監視システムは、各住宅に設置される戸別装置１１〜１ｎと、管理人室に設置される主制御装置２００とを備え、戸別装置１１〜１ｎは専用の回線により主制御装置２００に収容されている。
戸別装置１１〜１ｎは、それぞれ移動体センサ１０１と、在／不在スイッチ１０２と、センサ制御部１０３と、インターホン１０４とを備える。
【００１４】
移動体センサ１０１は、各住宅内で、人間が放つ赤外線を検出して住人の動きを検出するもので、この検出によって得た「動き」のある／なしの情報をセンサ制御部１０３に通知する。必要に応じて、１つの住宅内に複数設置してもよい。
【００１５】
在／不在スイッチ１０２は、住宅の解錠／施錠と連動して動作し、切替えられるスイッチで、在宅（解錠）時には「在」に、外出（施錠）時には「不在」に設定され、この設定はセンサ制御部１０３に通知される。
【００１６】
センサ制御部１０３は、時刻を計時する機能を備えており、予め設定された時間が経過したり、あるいは在／不在スイッチ１０２の設定が変更されると、後述する安否判定処理にしたがって、移動体センサ１０１の検出結果と在／不在スイッチ１０２の設定に基づいて住人の安否を判定し、この判定結果を主制御装置２００に通知する。なお、移動体センサ１０１の検出結果や、在／不在スイッチ１０２の設定については、逐次主制御装置２００に通知する。
【００１７】
インターホン１０４は、センサ制御部１０３によって制御され、主制御装置２００と通話するためのインターホンであって、テンキーと、このテンキーの操作に応動してＤＴＭＦトーン信号を送出する回路を備える。
【００１８】
主制御装置２００は、各住宅の状況を表示する表示部２０１と、異常の発生を管理人に報知する警報部２０２と、戸別装置１１〜１ｎから通知される情報に基づいて、表示部２０１や警報部２０２、当該主制御装置２００の各部を統括して制御する制御部２０３と、戸別装置１１〜１ｎのインターホン１０４と音声通信するためのインターホン２０４とを備える。
【００１９】
そして制御部２０３は、自己の記憶部に予め音声データを記憶し、この音声データを再生して戸別装置１１〜１ｎのインターホン１０４に送出する機能や、上記インターホン１０４から送られるＤＴＭＦトーン信号をデコードする機能、この機能によってデコードされたデータと上記記憶部に予め記憶しておいた暗証コードとを比較し、その比較結果に応じて表示部２０１や警報部２０２を制御する機能などを備える。
【００２０】
次に、上記構成の住宅監視システムの動作について説明する。
まず、図２を参照して、センサ制御部１０３の動作について説明する。図２は、各戸別装置１１〜１ｎのセンサ制御部１０３がそれぞれ実施する安否判定処理を示すフローチャートである。この安否判定処理は、予め設定した時刻が到来することで定期的に実施されたり、あるいは在／不在スイッチ１０２の設定が切り替えられると実施される。なお、主制御装置２００は、この処理に並行して制御部２０３が、戸別装置１１〜１ｎから通知される移動体センサ１０１の検出結果や在／不在スイッチ１０２の設定を表示部２０１に表示する。
【００２１】
まず、ステップ２ａにおいてセンサ制御部１０３は、在／不在スイッチ１０２の設定が「在」か「不在」かを判定する。ここで、「在」に設定されている場合にはステップ２ｂに移行し、一方、「不在」に設定されている場合にはステップ２ｆに移行する。
【００２２】
ステップ２ｂにおいてセンサ制御部１０３は、タイマＴ１を起動し計時を開始し、ステップ２ｃに移行する。なお、ここですでに、タイマＴ１が起動されて計時中の場合には、リセット動作を行い計時を再開する。
【００２３】
ステップ２ｃにおいてセンサ制御部１０３は、移動体センサ１０１の検出結果を参照し、住宅内で動きを検出したか否かを判定する。ここで、動きを検出した場合にはステップ２ｂに移行し、一方、動きを検出していない場合にはステップ２ｄに移行する。
【００２４】
ステップ２ｄにおいてセンサ制御部１０３は、ステップ２ｂにて起動したタイマＴ１の経過時間がｔ１以上か否かを判定する。ここで、経過時間がｔ１以上の場合には、ステップ２ｅに移行し、一方、経過時間がｔ１未満の場合には、ステップ２ｃに移行する。
【００２５】
ステップ２ｅにおいてセンサ制御部１０３は、例えば住人が倒れるなど、住人に異常が生じたものと見なして、主制御装置２００に対して住人異常の発生を通知し、当該処理を終了する。
【００２６】
一方、ステップ２ｆにおいてセンサ制御部１０３は、移動体センサ１０１の検出結果を参照し、住宅内で動きを検出したか否かを判定する。ここで、動きを検出した場合にはステップ２ｇに移行し、一方、動きを検出していない場合には再びステップ２ｆに移行して動き検出を行う。
【００２７】
ステップ２ｇにおいてセンサ制御部１０３は、住宅内に不審者が侵入したものと見なして、主制御装置２００に対して不審者侵入の発生を通知し、当該処理を終了する。
【００２８】
次に図３を参照して、制御部２０３の動作について説明する。図３は、制御部２０３が実施するインターホン制御処理を示すフローチャートである。このインターホン制御処理は、戸別装置１１〜１ｎのいずれかのセンサ制御部１０３から通知があると開始される。
【００２９】
まず、ステップ３ａにおいて制御部２０３は、センサ制御部１０３から通知された内容が「住人異常」か「不審者侵入」かを判定する。ここで、「住人異常」の場合には、ステップ３ｂに移行し、一方、「不審者侵入」の場合には、ステップ３ｃに移行する。
【００３０】
ステップ３ｂにおいて制御部２０３は、通知のあった住宅を示す識別情報に対応づけて、住人に異常が生じた旨を示す表示を表示部２０１に行うとともに、警報部２０２を動作制御して、音や光などにより管理人に対して住人に異常が生じた旨を報知し、当該処理を終了する。
【００３１】
一方、ステップ３ｃにおいて制御部２０３は、該当する住宅を示す識別情報に対応づけて、不審者侵入が生じた可能性がある旨を示す表示を表示部２０１に行うとともに、警報部２０２を動作制御して、音や光などにより管理人に対して不審者侵入が生じた可能性がある旨を示す報知を行い、ステップ３ｄに移行する。
【００３２】
ステップ３ｄにおいて制御部２０３は、通知のあった住宅のセンサ制御部１０３と通信し、インターホン２０４とインターホン１０４との間に通話リンクを確立し、通話が可能な状態とする。これにより少なくとも住宅側の音声がインターホン１０４によって集音されてインターホン２０４により拡声出力される。
【００３３】
そして、制御部２０３は、自己の記憶部から音声データを読み出し、これに基づくアナログ音声信号を合成し、上記センサ制御部１０３に音声メッセージを送出し、ステップ３ｅに移行する。この音声メッセージは、例えば「不審者の侵入を検出しました。ｔ秒以内に暗証コードを入力してください。」など、暗証コードの入力を住人に促すものである。すると、センサ制御部１０３は、上記音声メッセージをインターホン１０４から拡声出力する。
【００３４】
これに対して住人、もしくは不審者は、インターホン１０４のキーボードを操作し、暗証コードの入力を行う。ここで操作されたキーに対応するＤＴＭＦトーン信号がインターホン１０４にて生成され、センサ制御部１０３を通じて制御部２０３に送出される。
【００３５】
ステップ３ｅにおいて制御部２０３は、インターホン１０４より送出されたＤＴＭＦトーン信号をデコードし、送信された暗証コードを検出し、ステップ３ｆに移行する。
【００３６】
ステップ３ｆにおいて制御部２０３は、ステップ３ｅで検出した暗証コードと、上記記憶部に予め記憶しておいた暗証コードとを比較し、一致するか否かを判定する。ここで、両者が一致する場合には、ステップ３ｇに移行し、一方、両者が一致しない場合には、ステップ３ｈに移行する。また、ＤＴＭＦトーン信号が受信できず、ｔ秒が経過してタイムアウトした場合にもステップ３ｈに移行する。
【００３７】
ステップ３ｇにおいて制御部２０３は、自己の記憶部から音声データを読み出し、これに基づくアナログ音声信号を合成し、通知のあった住宅のセンサ制御部１０３に音声メッセージを送出し、当該処理を終了する。この音声メッセージは、例えば「暗証コードが一致しました。鍵をご確認ください。」など、暗証コードが一致した旨を報知するものである。
【００３８】
ステップ３ｈにおいて制御部２０３は、該当する住宅を示す識別情報に対応づけて、不審者侵入が生じた旨を示す表示を表示部２０１に行うとともに、警報部２０２を動作制御して、音や光などにより管理人に対して不審者侵入が生じた旨を報知し、当該処理を終了する。
【００３９】
以上のように、上記構成の住宅監視システムでは、施錠された不在設定時に住宅内で動きを検出すると、管理人に不審者侵入の可能性を報知した後、インターホン１０４を通じて住宅内にいる者に暗証コードの入力を要求するアナウンスを行い、正当な暗証コードが入力されないと不審者が侵入したものとみなして、これを管理人に報知するようにしている。
【００４０】
したがって、上記構成の住宅監視システムによれば、不審者侵入の警報が生じた場合に、管理人側でこの警報が正しいのか誤っているのか確認することができる。
【００４１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４２】
その一例として例えば、センサ制御部１０３で行っていた処理を制御部２０３で行う構成にしたり、あるいは制御部２０３で行っていた処理をセンサ制御部１０３で行う構成にしてもよい。
【００４３】
すなわち、上記実施の形態では、図２に示した安否判定処理は、各戸別装置１１〜１ｎのセンサ制御部１０３が実行するようにして、その判定結果を制御部２０３に通知するようにしたが、これに代わって例えば、戸別装置１１〜１ｎが移動体センサ１０１の検出結果や在／不在スイッチ１０２の設定を逐一制御部２０３に通知し、これらの情報に基づいて、上記安否判定処理を制御部２０３が実行するようにしてもよい。
【００４４】
また、上記実施の形態では、不審者が侵入した可能性がある場合に、図３に示したインターホン制御処理により、制御部２０３がセンサ制御部１０３に音声メッセージを送信し、暗証コードの入力を求め、暗証コードによる認証処理を行うようにした。これに代わって例えば、上記認証処理をセンサ制御部１０３で行うようにし、センサ制御部１０３が音声メッセージを再生して暗証コードの入力を求めて認証を行い、認証の結果、すなわち不審者か否かの判定結果を制御部２０３に通知し、制御部２０３は通知された判定結果の基づいて報知動作を行うようにしてもよい。
【００４５】
また、戸別装置１１〜１ｎは専用の回線により主制御装置２００に収容されるものとしたが、これに代わって例えば、戸別装置１１〜１ｎおよび主制御装置２００に有線網に収容される電話機や、携帯電話機などの無線接続を行う無線通信機を備え、電話網を通じて戸別装置１１〜１ｎと主制御装置２００とが通信するようにしてもよい。
【００４６】
また、有線あるいは無線のＬＡＮで収容するようにしてもよい。また電話網に限らず、インターネットなどの通信網を利用して、戸別装置１１〜１ｎと主制御装置２００とを接続するようにしてもよい。
さらに、上記実施の形態では、住人異常の発生や不審者侵入の発生を管理人室で報知するようにしたが、監視対象となる住宅外であれば、通路やロビーなどの共用スペースであってもよい。
その他、この発明の要旨を逸脱しない範囲で種々の変形を施しても同様に実施可能であることはいうまでもない。
【００４７】
【発明の効果】
以上述べたように、この発明では、在宅の設定がなされ、かつ所定時間内に住宅内で何らの動きを検出しない場合に、住人の異常が発生したものとして報知を行い、また不在宅の設定がなされ、かつ住宅内で何らかの動きを検出した場合に、住宅内に設けた第１の通話手段と住宅外に設けた第２の通話手段とで音声通信を開始するようにしている。
【００４８】
したがって、この発明によれば、不在宅の設定がなされ、かつ住宅内で何らかの動きを検出したような不審者が侵入の可能性がある場合に、住宅外で住宅内の音声を聞くことができるので、不審者の侵入の真否を確認することが可能な住宅監視システムを提供できる。
【００４９】
また、この発明では、在宅の設定がなされ、かつ所定時間内に住宅内で何らの動きを検出しない場合に、住人の異常が発生したものとして報知を行い、また不在宅の設定がなされ、かつ住宅内で何らかの動きを検出した場合に、住宅内に音声メッセージを再生するとともに、入力手段を通じて入力される情報に基づいて、不審者の侵入を確認するようにしている。
【００５０】
したがって、この発明によれば、不在宅の設定がなされ、かつ住宅内で何らかの動きを検出したような不審者が侵入の可能性がある場合に、入力手段を通じた情報入力で、不審者の侵入の真否を確認することが可能な住宅監視システムを提供できる。
【図面の簡単な説明】
【図１】この発明に係わる住宅監視システムの一実施形態の構成を示す回路ブロック図。
【図２】図１に示した住宅監視システムのセンサ制御部による安否判定処理を説明するためのフローチャート。
【図３】図１に示した住宅監視システムの制御部によるインターホン制御処理を説明するためのフローチャート。
【符号の説明】
１１〜１ｎ…戸別装置、１０１…移動体センサ、１０２…在／不在スイッチ、１０３…センサ制御部、１０４…インターホン、２００…主制御装置、２０１…表示部、２０２…警報部、２０３…制御部、２０４…インターホン。
【図１】
2005012676.tif 000003
【図２】
2005012676.tif 000004
【図３】
2005012676.tif 000005